(57)【要約】【課題】  既にコンテンツ選択済リストに含められているコンテンツをユーザが把握することができ、かつ、重複してコンテンツをコンテンツ選択済リストに含めること。【解決手段】  コンテンツ選択済リストが生成された後、さらにコンテンツ選択済リストにコンテンツを含めるためにコンテンツリストを表示させる場合、コンテンツ選択済リストに既に含められているコンテンツを強調表示させ、かつ、コンテンツ選択済リストに既に含められているコンテンツに対しても、再度選択することが可能なようにチェックボックスのチェックを解除する。【選択図】図３
2011145729.tif 000002
【特許請求の範囲】
【請求項１】
複数のコンテンツの中からコンテンツを選択するコンテンツ選択装置であって、
選択対象のコンテンツを含むコンテンツリストを表示させるコンテンツリスト表示手段と、
前記コンテンツリストの中からユーザ操作に応じて１または複数のコンテンツを選択し、選択されたコンテンツに対して、選択されたことを示す情報を前記コンテンツリストに表示させる選択手段と、
前記選択手段によって選択されたコンテンツをコンテンツ選択済リストに含めるコンテンツ選択済リスト生成手段とを備え、
前記コンテンツ選択済リストが生成された後に前記コンテンツリストをさらに表示させる場合、前記コンテンツリスト表示手段が、前記コンテンツ選択済リストに既に含められているコンテンツに対して、前記コンテンツ選択済リストに既に含められていることを示す情報を前記コンテンツリストに表示させ、かつ、前記選択手段が、前記コンテンツ選択済リストに既に含められているコンテンツに対しても、再度選択することが可能なように前記選択されたことを示す情報の表示を解除する、コンテンツ選択装置。
【請求項２】
複数のコンテンツの中からコンテンツを選択するコンテンツ選択装置であって、
選択対象のコンテンツおよび各コンテンツに対するチェックボックスを含むコンテンツリストを表示させるコンテンツリスト表示手段と、
前記コンテンツリストの中からユーザ操作に応じて１または複数のコンテンツを選択し、選択されたコンテンツに対して、チェックボックスをチェックする選択手段と、
前記選択手段によって選択されたコンテンツをコンテンツ選択済リストに含めるコンテンツ選択済リスト生成手段とを備え、
前記コンテンツ選択済リストが生成された後に前記コンテンツリストをさらに表示させる場合、前記コンテンツリスト表示手段が、前記コンテンツ選択済リストに既に含められているコンテンツを強調表示させ、かつ、前記選択手段が、前記コンテンツ選択済リストに既に含められているコンテンツに対しても、再度選択することが可能なように前記チェックボックスのチェックを解除する、コンテンツ選択装置。
【請求項３】
複数のコンテンツの中からコンテンツを選択するコンテンツ選択プログラムであって、
選択対象のコンテンツを含むコンテンツリストを表示させるコンテンツリスト表示ステップと、
前記コンテンツリストの中からユーザ操作に応じて１または複数のコンテンツを選択し、選択されたコンテンツに対して、選択されたことを示す情報を前記コンテンツリストに表示させる選択ステップと、
前記選択ステップによって選択されたコンテンツをコンテンツ選択済リストに含めるコンテンツ選択済リスト生成ステップとをコンピュータに実行させ、
前記コンテンツ選択済リストが生成された後に前記コンテンツリストをさらに表示させる場合、前記コンテンツリスト表示ステップが、前記コンテンツ選択済リストに既に含められているコンテンツに対して、前記コンテンツ選択済リストに既に含められていることを示す情報を前記コンテンツリストに表示させ、かつ、前記選択ステップが、前記コンテンツ選択済リストに既に含められているコンテンツに対しても、再度選択することが可能なように前記選択されたことを示す情報の表示を解除する、コンテンツ選択プログラム。
【請求項４】
複数のコンテンツの中からコンテンツを選択するコンテンツ選択プログラムであって、
選択対象のコンテンツおよび各コンテンツに対するチェックボックスを含むコンテンツリストを表示させるコンテンツリスト表示ステップと、
前記コンテンツリストの中からユーザ操作に応じて１または複数のコンテンツを選択し、選択されたコンテンツに対して、チェックボックスをチェックする選択ステップと、
前記選択ステップによって選択されたコンテンツをコンテンツ選択済リストに含めるコンテンツ選択済リスト生成ステップとをコンピュータに実行させ、
前記コンテンツ選択済リストが生成された後に前記コンテンツリストをさらに表示させる場合、前記コンテンツリスト表示ステップが、前記コンテンツ選択済リストに既に含められているコンテンツを強調表示させ、かつ、前記選択ステップが、前記コンテンツ選択済リストに既に含められているコンテンツに対しても、再度選択することが可能なように前記チェックボックスのチェックを解除する、コンテンツ選択プログラム。
【請求項５】
前記コンテンツ選択済リストが生成された後に前記コンテンツリストをさらに表示させる場合、前記コンテンツリスト表示ステップが、前記コンテンツ選択済リストに既に含められているコンテンツに対して、前記コンテンツ選択済リストに既に含められている数を示す情報をさらに表示させる、請求項３または４に記載のコンテンツ選択プログラム。
【発明の詳細な説明】
【技術分野】
【０００１】
本発明は、コンテンツ選択装置およびそのプログラムに関する。
【背景技術】
【０００２】
パーソナルコンピュータ（以下、ＰＣという。）には複数のコンテンツ（例えば音楽ファイル、映像ファイル、画像ファイル等）が記録されており、ＰＣに記録されている複数のコンテンツの中からユーザ操作によって選択されたコンテンツをＣＤや携帯型音楽プレーヤに記録することができる。図２、図８は、ＣＤに記録するコンテンツをユーザが選択する際の画面の遷移を示す。図２（ａ）に示すように、ＰＣのＨＤＤに記録されている全コンテンツの一覧であるコンテンツリストが表示される。図２（ｂ）に示すように、ユーザ操作によって、ＣＤに記録するコンテンツ（コンテンツ１、コンテンツ３）のチェックボックスがチェックされる。ＣＤに記録するコンテンツの一覧であるコンテンツ記録リストを表示する指示が入力されると、図２（ｃ）に示すように、チェックボックスがチェックされているコンテンツの一覧であるコンテンツ記録リストが表示される。図２（ｃ）の画面で「作成」ボタンが選択されると、コンテンツ記録リストに含まれるコンテンツをＣＤに記録する画面へと移動する。一方、図２（ｃ）の画面で「戻る」ボタンが選択されると、コンテンツ記録リストに含めるコンテンツをユーザがさらに選択するために、図８（ａ）に示すように、コンテンツリストを表示する画面へと戻る。
【０００３】
図８（ａ）においては、図２の処理でユーザ操作によってチェックボックスがチェックされコンテンツ記録リストに含められているコンテンツ（コンテンツ１、コンテンツ３）について予めチェックボックスがチェックされている。従って、既にコンテンツ記録リストに含められているコンテンツをユーザが把握することができる。図８（ｂ）において新たにコンテンツ４が選択され、コンテンツ記録リストを表示する指示が入力されると、図８（ｃ）に示すように、コンテンツ記録リストにコンテンツ４を追加することができる。しかし、この方法では、一度コンテンツ記録リストに含められたコンテンツを重複して（すなわち２つ以上）コンテンツ記録リストに含めることができない。なぜなら、コンテンツ３を重複してコンテンツ記録リストに含めようとして、図８（ａ）（ｂ）においてコンテンツ３をユーザが選択するとコンテンツ３のチェックボックスのチェックが解除されてしまうからである。
【０００４】
この問題を解決するために、図９に示す処理が考えられる。図２（ｃ）の画面で「戻る」ボタンが選択されると、コンテンツ記録リストに含めるコンテンツをユーザがさらに選択するために、図９（ａ）に示すように、コンテンツリストを表示する画面へと戻る。図９（ａ）においては、図８（ａ）と異なり、図２の処理でユーザ操作によってチェックボックスがチェックされコンテンツ記録リストに含められているコンテンツ（コンテンツ１、コンテンツ３）について、チェックボックスのチェックが解除されている。従って、図９（ｂ）において新たにコンテンツ３、コンテンツ４のチェックボックスがチェックされ、コンテンツ記録リストを表示する指示が入力されると、図９（ｃ）に示すように、コンテンツ記録リストにコンテンツ３、コンテンツ４を追加することができる。つまり、コンテンツ記録リストにコンテンツ３を重複して含めることができる。しかし、この方法では、図２の処理でユーザ操作によってチェックボックスがチェックされコンテンツ記録リストに既に含められているコンテンツを図９（ａ）（ｂ）でユーザが把握することができない。従って、ユーザがコンテンツを重複してコンテンツ記録リストに含めたくない場合に、誤って重複してコンテンツをコンテンツ記録リストに含めてしまう恐れがある。
【０００５】
下記特許文献１には以下の技術を記載する。検索条件として使用可能な項目を画面上に一覧表示し、チェックボックスのチェックの切り替えで任意の項目を検索条件に追加あるいは削除できるユーザインターフェースにおいて、選択中の項目だけがそれ以外の項目の上にまとめて表示されるよう制御する。すなわち、いずれかの項目が選択されたことを検知すると、本装置は選択中の項目ほど画面上での順位が高くなるよう、各項目の順序を再計算する。しかし、特許文献１には、コンテンツ記録リストにコンテンツを重複して含めることについては記載されていない。
【先行技術文献】
【特許文献】
【０００６】
【特許文献１】特開２００６−３９９３８号公報
【発明の概要】
【発明が解決しようとする課題】
【０００７】
本発明は上記従来の課題を解決するためになされたものであり、その目的は、既にコンテンツ選択済リストに含められているコンテンツをユーザが把握することができ、かつ、重複してコンテンツをコンテンツ選択済リストに含めることができるコンテンツ選択装置およびそのプログラムを提供することである。
【課題を解決するための手段】
【０００８】
本発明の好ましい実施形態によるコンテンツ選択装置は、複数のコンテンツの中からコンテンツを選択するコンテンツ選択装置であって、選択対象のコンテンツを含むコンテンツリストを表示させるコンテンツリスト表示手段と、前記コンテンツリストの中からユーザ操作に応じて１または複数のコンテンツを選択し、選択されたコンテンツに対して、選択されたことを示す情報を前記コンテンツリストに表示させる選択手段と、前記選択手段によって選択されたコンテンツをコンテンツ選択済リストに含めるコンテンツ選択済リスト生成手段とを備え、前記コンテンツ選択済リストが生成された後に前記コンテンツリストをさらに表示させる場合、前記コンテンツリスト表示手段が、前記コンテンツ選択済リストに既に含められているコンテンツに対して、前記コンテンツ選択済リストに既に含められていることを示す情報を前記コンテンツリストに表示させ、かつ、前記選択手段が、前記コンテンツ選択済リストに既に含められているコンテンツに対しても、再度選択することが可能なように前記選択されたことを示す情報の表示を解除する。
【０００９】
本発明の別の好ましい実施形態によるコンテンツ選択装置は、複数のコンテンツの中からコンテンツを選択するコンテンツ選択装置であって、選択対象のコンテンツおよび各コンテンツに対するチェックボックスを含むコンテンツリストを表示させるコンテンツリスト表示手段と、前記コンテンツリストの中からユーザ操作に応じて１または複数のコンテンツを選択し、選択されたコンテンツに対して、チェックボックスをチェックする選択手段と、前記選択手段によって選択されたコンテンツをコンテンツ選択済リストに含めるコンテンツ選択済リスト生成手段とを備え、前記コンテンツ選択済リストが生成された後に前記コンテンツリストをさらに表示させる場合、前記コンテンツリスト表示手段が、前記コンテンツ選択済リストに既に含められているコンテンツを強調表示させ、かつ、前記選択手段が、前記コンテンツ選択済リストに既に含められているコンテンツに対しても、再度選択することが可能なように前記チェックボックスのチェックを解除する。
【００１０】
好ましい実施形態においては、前記コンテンツ選択済リストが生成された後に前記コンテンツリストをさらに表示させる場合、前記コンテンツリスト表示手段が、前記コンテンツ選択済リストに既に含められているコンテンツに対して、前記コンテンツ選択済リストに既に含められている数を示す情報をさらに表示させる。
【発明の効果】
【００１１】
コンテンツ選択済リストが生成された後、さらにコンテンツ選択済リストにコンテンツを含めるためにコンテンツリストを表示させる場合、コンテンツ選択済リストに既に含められているコンテンツに対して、コンテンツ選択済リストに既に含められていることを示す情報をコンテンツリストに表示させ（例えば、強調表示させ）、かつ、コンテンツ選択済リストに既に含められているコンテンツに対しても、再度選択することが可能なように選択されたことを示す情報の表示を解除する（例えば、チェックボックスのチェックを解除する）。従って、既にコンテンツ選択済リストに含められているコンテンツをユーザが把握することができ、かつ、重複してコンテンツをコンテンツ選択済リストに含めることができる。
【図面の簡単な説明】
【００１２】
【図１】本発明の好ましい実施形態によるＰＣを示すブロック図である。
【図２】本発明の好ましい実施形態によるコンテンツ選択画面の遷移を示す図である。
【図３】本発明の好ましい実施形態によるコンテンツ選択画面の遷移を示す図である。
【図４】ＣＰＵ２の処理を示すフローチャートである。
【図５】ＣＰＵ２の処理を示すフローチャートである。
【図６】ＣＰＵ２の処理を示すフローチャートである。
【図７】本発明の好ましい実施形態によるコンテンツ選択画面の遷移を示す図である。
【図８】従来のコンテンツ選択画面の遷移を示す図である。
【図９】従来のコンテンツ選択画面の遷移を示す図である。
【発明を実施するための形態】
【００１３】
以下、本発明の好ましい実施形態について、図面を参照して具体的に説明するが、本発明はこれらの実施形態には限定されない。図１は、本発明の好ましい実施形態によるコンテンツ選択装置が適用されるパーソナルコンピュータ（以下、ＰＣという。）１の構成を示すブロック図である。ＰＣ１は、複数のコンテンツをＨＤＤに記録しており、ユーザ操作によって選択された１又は複数のコンテンツをＣＤや携帯型音楽プレーヤ等に記録することができる。コンテンツは、一般的には、音楽ファイル、映像ファイル、画像ファイル等であるが、ＰＣ１で利用されるその他のファイル（文書ファイルや表計算ファイル等）であってもよい。
【００１４】
ＰＣ１は、ＣＰＵ２、ＲＡＭ３、ＲＯＭ４、ＨＤＤ５、光ディスクドライブ６、ＵＳＢ端子７、操作部８、および、表示部９等を備える。これらは、バスを介して互いに接続されている。光ディスクドライブはＣＤやＤＶＤ等の光ディスクが挿入され、ＣＰＵ２によって選択されたコンテンツをＣＤに記録する。ＵＳＢ端子７には携帯型音楽プレーヤが接続可能であり、携帯型音楽プレーヤにはＣＰＵ２によって選択されたコンテンツが記録される。操作部８は、ユーザ操作を受け付けるものであり、キーボード、マウス、リモコン等である。表示部９は、後述するコンテンツ選択画面を表示するものであり、液晶ディスプレイ（ＬＣＤ）等である。操作部８や表示部９は、ＰＣ１に外部接続されるものでもよい。
【００１５】
ＣＰＵ２は、ＰＣ１の全体を制御するものであり、ＨＤＤ５にインストールされているＯＳ（オペレーティングシステム）およびコンテンツ記録プログラムをＲＡＭ３内に読み出して、コンテンツ選択処理等の各処理を実行する。
【００１６】
ＨＤＤ５には複数のコンテンツが記録されている。また、ＨＤＤ５には、ＨＤＤ５に記録されている全コンテンツのコンテンツ情報を管理するためのコンテンツデータベース（以下、コンテンツＤＢという。）が格納されている。コンテンツが音楽ファイルの場合、コンテンツ情報は曲名、アーティスト名、アルバム名等を含む。
【００１７】
ＨＤＤ５には、ＣＰＵ２によって実行されるコンテンツ記録プログラム（本発明のコンテンツ選択プログラムとしての機能を有する）がインストールされている。コンテンツ記録プログラムは、図２、図３のコンテンツ選択画面を表示部９に表示させることによって、複数のコンテンツの中からユーザ操作によってＣＤに記録すべき所望のコンテンツを選択させる。コンテンツ記録プログラムは、ユーザ操作によって選択されたコンテンツをＣＤに記録させる。
【００１８】
つまり、コンテンツ記録プログラムは、コンテンツリストの中からユーザ操作に応じて１または複数のコンテンツを選択し、選択されたコンテンツに対して、選択されたことを示す情報をコンテンツリストに表示させる（つまり、チェックボックスにチェックする）選択ステップと、選択ステップによって選択されたコンテンツをコンテンツ選択済リスト（本例では後述するコンテンツ記録リストに相当する。）に含めるコンテンツ選択済リスト生成ステップとをＣＰＵ２に実行させる。そして、コンテンツ選択済リストが生成された後にコンテンツリストをさらに表示させる場合、コンテンツリスト表示ステップは、コンテンツ選択済リストに既に含められているコンテンツに対して、コンテンツ選択済リストに既に含められていることを示す情報をコンテンツリストに表示させ（例えば、強調表示させ）、かつ、選択ステップは、コンテンツ選択済リストに既に含められているコンテンツに対しても、再度選択することが可能なように選択されたことを示す情報の表示を解除する（チェックボックスのチェックを解除する）。
【００１９】
図２は、最初に、ユーザ操作によってコンテンツリストの中からコンテンツが選択され、コンテンツ記録リストにコンテンツが含められる際の画面の遷移を示す。図２（ａ）に示すように、ＨＤＤ５に記録されている全コンテンツの一覧である（つまり、選択対象のコンテンツおよびそのチェックボックスを含む）コンテンツリストが表示される。図２（ｂ）に示すように、ユーザ操作によって、ＣＤに記録するコンテンツ（コンテンツ１、コンテンツ３）のチェックボックスがチェックされる。ＣＤに記録するコンテンツの一覧であるコンテンツ記録リストを表示する指示が入力されると、図２（ｃ）に示すように、チェックボックスがチェックされているコンテンツの一覧であるコンテンツ記録リストが作成され、表示される。図２（ｃ）の画面で「作成」ボタンが選択されると、コンテンツ記録リストに含まれるコンテンツをＣＤに記録するための画面へと移動する。一方、図２（ｃ）の画面で「戻る」ボタンが選択されると、コンテンツ記録リストに含めるコンテンツをユーザがさらに選択するために、図３（ａ）に示すように、コンテンツリストを表示する画面へと戻る。
【００２０】
図３は、コンテンツ記録リストにコンテンツが含められた後、再度、ユーザ操作によってコンテンツリストの中からコンテンツが選択され、コンテンツ記録リストにコンテンツが含められる際の画面の遷移を示す。図３（ａ）においては、コンテンツ記録リストに既に含められているか否かに関係なく、コンテンツリストの全コンテンツのチェックボッククのチェックが解除されており、かつ、図２の処理でユーザ操作によってチェックボックスがチェックされコンテンツ記録リストに既に含められているコンテンツ（コンテンツ１、コンテンツ３）について強調表示されている。従って、既にコンテンツ記録リストに含められているコンテンツをユーザが把握することができる。強調表示は、例えば、図３（ａ）（ｂ）に示すようにコンテンツ・・を囲む枠が太字（又は異なる色）で表示されるが、これに限定されず、コンテンツ・・の文字自体を太字（又は異なる色）で表示してもよく、枠内を異なる色で塗りつぶしてもよい。また、コンテンツ記録リストに既に含められているコンテンツ以外のコンテンツを強調表示し、コンテンツ記録リストに既に含められているコンテンツを強調表示しないことにより、コンテンツ選択済リストに既に含められていることを示す情報をコンテンツリストに表示させてもよい。
【００２１】
図３（ｂ）に示すように、ユーザ操作によって、ＣＤに記録するコンテンツ（コンテンツ３、コンテンツ４）のチェックボックスがチェックされる。コンテンツ記録リストを表示する指示が入力されると、図３（ｃ）に示すように、チェックボックスがチェックされているコンテンツ（コンテンツ３、コンテンツ４）がコンテンツ記録リストに追加される。従って、コンテンツ３を重複してコンテンツ記録リストに含めることができる。
【００２２】
次に、本発明の動作を説明する。図４〜図６は、ＣＰＵ２（コンテンツ記録プログラム）のコンテンツ選択処理を示すフローチャートである。まず、図４に示すように、ＣＰＵ２は、コンテンツリスト表示処理を実行する（Ｓ１）。
【００２３】
Ｓ１の詳細を図５に示す。ＣＰＵ２は、コンテンツリスト内のコンテンツを１つ選択する（Ｓ１１）。ＣＰＵ２は、選択したコンテンツがコンテンツ記録リストに少なくとも１つ既に含まれているか否かを判断する（Ｓ１２）。含まれていなければ（Ｓ１２でＮＯ）、Ｓ１４と進む。含まれていれば（Ｓ１２でＹＥＳ）、ＣＰＵ２は、選択されたコンテンツをコンテンツリスト内で強調表示させる（Ｓ１３）。ＣＰＵ２は、コンテンツリスト内の全コンテンツについてＳ１１〜Ｓ１３の処理を実行したか否かを判断する（Ｓ１４）。未だ全てのコンテンツについて処理を実行していなければ（Ｓ１４でＮＯ）、Ｓ１１に戻って次のコンテンツを選択する。従って、コンテンツリストの全コンテンツについて、コンテンツ記録リストに含められていれば強調表示する処理を実行する。全てのコンテンツについて処理を終了すると（Ｓ１４でＹＥＳ）、ＣＰＵ２は、コンテンツリストを表示部９に表示させる（Ｓ１５）。このとき、コンテンツの強調表示とは無関係に、コンテンツリストの全てのコンテンツのチェックボックスはチェックが解除されている。
【００２４】
ここで、図２（ａ）に示すように、最初に（つまり、コンテンツ記録リストにいずれのコンテンツも含められていないとき）、コンテンツリストを表示する際には、全てのコンテンツについて、Ｓ１２でＮＯと判断され、全てのコンテンツが強調表示されずにコンテンツリストが表示される。一方、図２（ｃ）において「戻る」ボタンが選択され、コンテンツリストを再度表示する場合（Ｓ７でＹＥＳ、詳細後述）には、図３（ａ）に示すように、コンテンツ記録リストに含められているコンテンツ（コンテンツ１、コンテンツ３）が強調表示されて、コンテンツリストが表示される。
【００２５】
図４に示すように、ＣＰＵ２は、ユーザ操作によってコンテンツのチェックボックスが選択されたか否かを判断する（Ｓ２）。チェックボックスが選択されなければ（Ｓ２でＮＯ）、Ｓ４に進む。チェックボックスが選択された場合（Ｓ２でＹＥＳ）、ＣＰＵ２は当該コンテンツを選択し、チェックボックスをチェックする（Ｓ３）。もしくは、既にチェックボックスがチェックされている状態で再度そのチェックボックスが選択された場合には、当該コンテンツの選択が解除され、チェックボックスのチェックが解除される。
【００２６】
ＣＰＵ２は、コンテンツリストを表示する画面から、コンテンツ記録リストを表示する画面に移動する指示がユーザ操作によって入力されたか否かを判断する（Ｓ４）。入力されない場合（Ｓ４でＮＯ）、Ｓ２に戻る。入力された場合（Ｓ４でＹＥＳ）、ＣＰＵ２は、コンテンツ記録リスト作成処理を実行する（Ｓ５）。Ｓ５の詳細を図６に示す。
【００２７】
ＣＰＵ２は、コンテンツリストの全コンテンツの中から１つのコンテンツを選択する（Ｓ２１）。ＣＰＵ２は、選択されたコンテンツのチェックボックスがチェックされているか否かを判断する（Ｓ２２）。チェックされていなければ（Ｓ２２でＮＯ）、Ｓ２４に進む。チェックされている場合（Ｓ２２でＹＥＳ）、ＣＰＵ２は、選択されたコンテンツをコンテンツ記録リストに含める（Ｓ２３）。このとき、選択されたコンテンツが既にコンテンツ記録リストに含まれている場合であっても、重複してコンテンツ記録リストに含められる。
【００２８】
ＣＰＵ２は、コンテンツリスト内の全コンテンツについてＳ２１〜Ｓ２３の処理を実行したか否かを判断する（Ｓ２４）。未だ全てのコンテンツについて処理を実行していなければ（Ｓ２４でＮＯ）、Ｓ２１に戻って次のコンテンツを選択する。従って、コンテンツリストの全コンテンツについて、チェックボックスがチェックされていればコンテンツ記録リストにコンテンツを含める処理を実行する。全てのコンテンツについて処理を終了すると（Ｓ２４でＹＥＳ）、ＣＰＵ２は、コンテンツ記録リストの作成を終了し、ＲＡＭ３にコンテンツ記録リストを保存する。
【００２９】
図４に示すように、ＣＰＵ２は、コンテンツ記録リストを表示部９に表示させる（Ｓ６）。ＣＰＵ２は、コンテンツ記録リストを表示する画面から、コンテンツリストを表示する画面に移動する指示がユーザ操作によって入力されたか否かを判断する（Ｓ７）。つまり、図２（ｃ）、図３（ｃ）で「戻る」ボタンが選択されたか否かが判断される。「戻る」ボタンが選択された場合（Ｓ７でＹＥＳ）、Ｓ１に戻る。このとき、上記の通り、ＣＰＵ２は、既にコンテンツ記録リストに含められているコンテンツを強調表示し、かつ、チェックボックスのチェックを全て解除して、コンテンツリストを表示部９に再度表示させる。
【００３０】
「戻る」ボタンが選択されないとき（Ｓ７でＮＯ）、ＣＰＵ２は、ＣＤ作成画面に移動する指示がユーザ操作によって入力されたか否かを判断する（Ｓ８）。入力されない場合（Ｓ８でＮＯ）、Ｓ７に戻る。入力された場合（Ｓ８でＹＥＳ）、コンテンツ選択処理を終了し、ＣＤ作成画面に移動する。
【００３１】
以上のように、本実施形態によると、既にコンテンツ記録リストに含められているコンテンツをコンテンツリストにおいて強調表示することにより、既にコンテンツ記録リストに含められているコンテンツをユーザが把握することができる。また、コンテンツリストにおいて、既にコンテンツ記録リストに含められているコンテンツのチェックボックスもチェックが解除されているので、コンテンツを重複してコンテンツ記録リストに含めることができる。
【００３２】
次に、本発明の別の好ましい実施形態を説明する。本例では、図７に示すように、コンテンツ記録リストに既に含められているコンテンツを、コンテンツリストにおいて強調表示すると共に、コンテンツ記録リストに含められている数を表示する。詳細には、図５において、選択されたコンテンツがコンテンツ記録リストに含められている場合（Ｓ１２でＹＥＳ）、ＣＰＵ２は、Ｓ１３において、選択されたコンテンツを強調表示し、かつ、コンテンツ記録リストに含められている数を認識し、表示させる。なお、数を表示する代わりに数に応じた色で、枠又は文字を表示してもよく、枠内を塗りつぶしてもよい。
【００３３】
以上、本発明の好ましい実施形態を説明したが、本発明はこれらの実施形態には限定されない。コンテンツリストからコンテンツを選択する方法はチェックボックスに限定されず、他の選択方法でもよい。チェックボックスのチェックは塗りつぶしに限定されず、×、○、レ等の任意の文字をチェックボックス内に表示してもよい。コンテンツ選択装置は、コンテンツが音楽ファイルである場合に、ＰＣ１が連続再生するためのプレイリストに含めるコンテンツを選択する際にも適用される。コンテンツ選択装置は、ＴＶ受像機、ＡＶアンプ、ＨＤＤレコーダ等のＡＶ機器に適用されてもよい。コンテンツ選択プログラムは、インターネット経由で、ダウンロード形式で提供されてもよく、ＣＤ−ＲＯＭ等の記憶媒体に格納されて提供されてもよい。また、本発明のコンテンツ選択装置は、ＰＣ１がインターネット経由で販売業者のサーバにアクセスし、購入する物品をユーザが選択する場合にも適用される。つまり、購入する物品の名称等の情報が本発明のコンテンツに相当する。
【産業上の利用可能性】
【００３４】
本発明は、ＰＣアプリケーション等に好適に採用され得る。
【符号の説明】
【００３５】
１              ＰＣ
２              ＣＰＵ
３              ＲＡＭ
４              ＲＯＭ
５              ＨＤＤ
６              光ディスクドライブ
７              ＵＳＢ端子
８              操作部
９              表示部
【図１】
2011145729.tif 000003
【図２】
2011145729.tif 000004
【図３】
2011145729.tif 000005
【図４】
2011145729.tif 000006
【図５】
2011145729.tif 000007
【図６】
2011145729.tif 000008
【図７】
2011145729.tif 000009
【図８】
2011145729.tif 000010
【図９】
2011145729.tif 000011